(57)【要約】      （修正有）【課題】椎間インプラントの挿入によって脊椎の隣接する椎骨を安定化できる、高さおよび／または傾斜度が調整可能な椎間インプラントを提供する。【解決手段】インプラントが第一および第二端板１１０、１３０を含み、各インプラントは、少なくとも一つの前傾斜面１１８と少なくとも一つの後傾斜面１１６とを画定する。後方アクチュエータ１７０は、第一端板と第二端板との間に位置付けされ、後傾斜面に対応するガイディング傾斜面を有する。前方アクチュエータは、第一端板と第二端板との間に位置付けされ、ガイディング傾斜面が前傾斜面に対応し、アクチュエータアセンブリが後方アクチュエータと前方アクチュエータとの間に延在し、後方アクチュエータと前方アクチュエータを同時に選択的に移動させるか、後方アクチュエータを前方アクチュエータから分離して移動させるか、前方アクチュエータを後方アクチュエータから分離して移動させるよう構成される。【選択図】図１
2019084362.tif 000002
【特許請求の範囲】
【請求項１】
関節の骨を治療的に分離させるためのインプラントであって、
前端部と後端部との間に延在する第一端板であって、骨係合面を有し、前記骨係合面に対向する側面に、少なくとも一つの前傾斜面と、少なくとも一つの後傾斜面とを有する第一端板と、
前端部と後端部との間に延在する第二端板であって、骨係合面を有し、前記骨係合面に対向する側面に、少なくとも一つの前傾斜面と、少なくとも一つの後傾斜面とを有する第二端板と、
第一端板と第二端板との間に位置付けされた後方アクチュエータであって、前記少なくとも一つの第一端板後傾斜面に対向して位置決めされるよう構成された、対応する数の第一ガイディング傾斜面と、前記少なくとも一つの第二端板後傾斜面に対向して位置決めされるよう構成された、対応する数の第二ガイディング傾斜面とを有する後方アクチュエータと、
各第一ガイディング傾斜面に旋回接続され、前記それぞれの少なくとも一つの第一板後傾斜面と摺動係合する旋回部材であって、各第二ガイディング傾斜面に旋回接続され、前記それぞれの少なくとも一つの第一板後傾斜面と摺動係合する旋回部材と、
前記第一端板と第二端板との間に位置付けされた前方アクチュエータであって、前記少なくとも一つの第一端板前傾斜面に対向して位置決めされるよう構成された、対応する数の第三ガイディング傾斜面と、前記少なくとも一つの第二端板前傾斜面に対向して位置決めされるよう構成された、対応する数の第四ガイディング傾斜面とを有する前方アクチュエータと、
各第三ガイディング傾斜面に旋回接続され、前記それぞれの少なくとも一つの第一板前傾斜面に摺動係合する旋回部材であって、各第四ガイディング傾斜面に旋回接続され、前記それぞれの少なくとも一つの第一板前傾斜面に摺動係合する旋回部材と、
前記後方アクチュエータと前記前方アクチュエータとの間に延在するアクチュエータアセンブリであって、選択的に、前記後方アクチュエータと前記前方アクチュエータを同時に移動させるか、後方アクチュエータを前記前方アクチュエータとは別に移動させるか、または、前記前方アクチュエータを前記後方アクチュエータとは別に移動させるよう構成されたアクチュエータアセンブリと、を備えるインプラント。
【請求項２】
前記第一および第二端板のうちの少なくとも一つが、前記第一と第二端板との間の移植片チャンバ内への貫通通路を画定する、請求項１に記載のインプラント。
【請求項３】
前記第一および第二端板のうちの少なくとも一つが、前記インプラントを前記関節の骨に固定するために締結具が通過し得る少なくとも一つの貫通穴を含む、請求項１に記載のインプラント。
【請求項４】
前記締結具が骨スクリューまたは骨アンカーである、請求項３に記載のインプラント。
【請求項５】
前記第一および第二端板のうちの少なくとも一つを通り、身体組織内へ至る締結具の後退を予防するよう構成されたブロッキング機構を更に含む、請求項１に記載のインプラント。
【請求項６】
前記第一端板が、前記骨係合面に対向する前記側面に二つの前傾斜面と二つの後傾斜面を有し、前記第二端板が、前記骨係合面に対向する前記側面に二つの前傾斜面と二つの後傾斜面を有する、請求項１に記載のインプラント。
【請求項７】
前記前および後傾斜面がそれぞれ、それに沿って延在する溝を有し、各旋回部材が、それぞれの溝に係合する溝係合フランジを有し、前記それぞれの傾斜面に対して前記旋回部材の分離を防止する、請求項１に記載のインプラント。
【請求項８】
前記アクチュエータアセンブリが、
後端部と前端部との間に延在し、第一雄ねじが前記後端部の近位にセットされ、第二雄ねじが前記前端部の近位にセットされ、前記第一および第二雄ねじセットが反対巻き（ｏｐｐｏｓｉｔｅｌｙ  ｈａｎｄｅｄ）であるアクチュエータスクリューであって、前記アクチュエータスクリューの前記後端部が、前記後方アクチュエータの貫通通路を貫通し、螺合するアクチュエータスクリューと、
後端部と前端部との間に延在し、貫通通路が前記後端部から前記前端部まで延在し、前記貫通通路内で雌ねじを画定し、前記雌ねじが雄ねじの第二セットに螺合したアクチュエータナットであって、前記アクチュエータナットが、前記アクチュエータナットが前記前方アクチュエータに対して軸方向に固定されるが、それに対して回転可能であるように、前記前方アクチュエータを貫通するアクチュエータナットとを含む、請求項１に記載のインプラント。
【請求項９】
前記アクチュエータスクリューの前記近位端が、前記第一および第二端板に対して軸方向に固定される、請求項８に記載のインプラント。
【請求項１０】
前記アクチュエータスクリューの前記後端部が、前記第一および第二端板によって支持された球状ベアリング内で支持されたボールを含む、請求項９に記載のインプラント。
【請求項１１】
前記アクチュエータスクリューの前記前端部が、ドライバ受容体を画定する、請求項８に記載のインプラント。
【請求項１２】
前記アクチュエータナットが、前記本体の前端部と前記本体の後端部との間で外向きに延在するラジアルフランジを備える本体を含み、前記本体の前記前端部が、前記前方アクチュエータにおいて画定される貫通通路に受容される、請求項８に記載のインプラント。
【請求項１３】
前記本体の前記前端部が、前記アクチュエータナット貫通通路を中心にドライバ係合部を画定する、請求項１２に記載のインプラント。
【請求項１４】
スラストワッシャーが、前記ラジアルフランジと前記前方アクチュエータとの間に位置決めされる、請求項１２に記載のインプラント。
【請求項１５】
フィンガが前記前方アクチュエータから延在し、前記フランジの後方で前記アクチュエータナット本体の溝を係合する、請求項１２に記載のインプラント。
【請求項１６】
前記アクチュエータアセンブリが、両方の端板の前記後および前端部が互いから同じ距離だけ離れて移動するように前記アクチュエータスクリューが回転し、前記アクチュエータナットが回転しない第一モードと、前記前方アクチュエータが単独で移動し、各端板の前記前端部を拡張させ、前弯角を増大させるように前記アクチュエータナットは回転するが前記アクチュエータスクリューは回転しない第二モードと、前記アクチュエータナットとアクチュエータスクリューが同時に回転し、前記後方アクチュエータのみを回転させ、前記端板の前記後端部の拡張となり、それによって前弯症の低減となる第三モードと、を含む三つのモードのうちの一つにおいて動作可能である、請求項８に記載のインプラント。
【請求項１７】
インプラントであって、
前端部と後端部との間に延在する第一端板であって、少なくとも一つの前傾斜面と、少なくとも一つの後傾斜面とを画定する第一端板と、
前端部と後端部との間に延在する第二端板であって、少なくとも一つの前傾斜面と、少なくとも一つの後傾斜面とを画定する第二端板と、
第一端板と第二端板との間に位置付けされた後方アクチュエータであって、前記少なくとも一つの第一端板後傾斜面に対向して位置決めされるよう構成された、対応する数の第一ガイディング傾斜面と、前記少なくとも一つの第二端板後傾斜面に対向して位置決めされるよう構成された、対応する数の第二ガイディング傾斜面とを有する後方アクチュエータと、
各第一ガイディング傾斜面に旋回接続され、前記それぞれの少なくとも一つの第一板後傾斜面と摺動係合する旋回部材であって、各第二ガイディング傾斜面に旋回接続され、前記それぞれの少なくとも一つの第一板後傾斜面と摺動係合する旋回部材と、
前記第一端板と第二端板との間に位置付けされた前方アクチュエータであって、前記少なくとも一つの第一端板前傾斜面に対向して位置決めされるよう構成された、対応する数の第三ガイディング傾斜面と、前記少なくとも一つの第二端板前傾斜面に対向して位置決めされるよう構成された、対応する数の第四ガイディング傾斜面とを有する前方アクチュエータと、
各第三ガイディング傾斜面に旋回接続され、前記それぞれの少なくとも一つの第一板前傾斜面に摺動係合する旋回部材であって、各第四ガイディング傾斜面に旋回接続され、前記それぞれの少なくとも一つの第一板前傾斜面に摺動係合する旋回部材と、
前記後方アクチュエータと前記前方アクチュエータとの間に延在するアクチュエータアセンブリであって、
第一雄ねじが前記後端部の近位にセットされ、第二雄ねじが前記前端部の近位にセットされ、前記第一および第二雄ねじが反対巻きにセットされた、後端部と前端部との間に延在するアクチュエータスクリューであって、前記アクチュエータスクリューの前記後端部が前記後方アクチュエータ内の貫通通路を通って通過し、螺合するアクチュエータスクリューと、
貫通通路が前記後端部から前記前端部まで延在して前記貫通通路内に雌ねじを画定し、前記雌ねじが雄ねじの前記第二セットと螺合する、後端部と前端部との間に延在するアクチュエータナットであって、前記アクチュエータナットが前記前方アクチュエータに対して軸方向に固定されるがそれに対して回転可能であるように、前記アクチュエータナットが前方アクチュエータを貫通するアクチュエータナットとを含むアクチュエータアセンブリと、を備え、
前記アクチュエータナットは回転しないが前記アクチュエータスクリューが回転すると、前記後方アクチュエータと前記前方アクチュエータを同時に移動させ、前記アクチュエータスクリューと前記アクチュエータナットが一緒に回転すると、前記後方アクチュエータを前記前方アクチュエータとは別に移動させ、前記アクチュエータスクリューは回転しないが前記アクチュエータナットが回転すると、前記前方アクチュエータを前記後方アクチュエータとは別に移動させる、インプラント。
【請求項１８】
前記アクチュエータアセンブリが、両方の端板の前記後および前端部が互いから同じ距離だけ離れて移動するように前記アクチュエータスクリューが回転し前記アクチュエータナットは回転しない第一モードと、前記前方アクチュエータが単独で移動し、各端板の前記前端部を拡張させ、前弯角を増大させるように前記アクチュエータナットは回転するが前記アクチュエータスクリューは回転しない第二モードと、前記アクチュエータナットとアクチュエータスクリューが同時に回転し、前記後方アクチュエータのみを回転させ、前記端板の前記後端部の拡張となり、それによって前弯症の低減となる第三モードと、を含む三つのモードのうちの一つにおいて動作可能である、請求項１７に記載のインプラント。
【請求項１９】
隣接する椎体を固定させる方法であって、
前記関節の骨の間で遠位端と近位端との間に延在する長手方向軸を画定するインプラントを挿入することであって、前記インプラントが、
前端部と後端部との間に延在する第一端板であって、骨係合面を有し、前記骨係合面に対向する側面に、少なくとも一つの前傾斜面と、少なくとも一つの後傾斜面とを有する第一端板と、
前端部と後端部との間に延在する第二端板であって、骨係合面を有し、前記骨係合面に対向する側面に、少なくとも一つの前傾斜面と、少なくとも一つの後傾斜面とを有する第二端板と、
第一端板と第二端板との間に位置付けされた後方アクチュエータであって、前記少なくとも一つの第一端板後傾斜面に対向して位置決めされるよう構成された、対応する数の第一ガイディング傾斜面と、前記少なくとも一つの第二端板後傾斜面に対向して位置決めされるよう構成された、対応する数の第二ガイディング傾斜面とを有する後方アクチュエータと、
各第一ガイディング傾斜面に旋回接続され、前記それぞれの少なくとも一つの第一板後傾斜面と摺動係合する旋回部材であって、各第二ガイディング傾斜面に旋回接続され、前記それぞれの少なくとも一つの第一板後傾斜面と摺動係合する旋回部材と、
前記第一端板と第二端板との間に位置付けされた前方アクチュエータであって、前記少なくとも一つの第一端板前傾斜面に対向して位置決めされるよう構成された、対応する数の第三ガイディング傾斜面と、前記少なくとも一つの第二端板前傾斜面に対向して位置決めされるよう構成された、対応する数の第四ガイディング傾斜面とを有する前方アクチュエータと、
各第三ガイディング傾斜面に旋回接続され、前記それぞれの少なくとも一つの第一板前傾斜面に摺動係合する旋回部材であって、各第四ガイディング傾斜面に旋回接続され、前記それぞれの少なくとも一つの第一板前傾斜面に摺動係合する旋回部材と、
前記後方アクチュエータと前記前方アクチュエータとの間に延在するアクチュエータアセンブリであって、選択的に、前記後方アクチュエータと前記前方アクチュエータとを同時に移動させるか、前記前方アクチュエータとは別に前記後方アクチュエータを移動さるか、または、前記後方アクチュエータとは別に前記前方アクチュエータを移動させるよう構成されたアクチュエータアセンブリとを備える、挿入することと、
前記第一および第二端板を互いに対して移動させ、前記前弯角を増大または縮小させるか、または、前記第一および第二端板を更に離れるよう移動させ、前記関節の骨を分離さるよう、前記インプラントが挿入された後に前記アクチュエータアセンブリを作動させることと、を備える、方法。
【請求項２０】
前記アクチュエータアセンブリの作動が、両方の端板の前記後および前端部が互いから同じ距離だけ離れて移動するように前記アクチュエータスクリューが回転し前記アクチュエータナットは回転しない第一モードと、前記前方アクチュエータが単独で移動し、各端板の前記前端部を拡張させ、前弯角を増大させるように前記アクチュエータナットは回転するが前記アクチュエータスクリューは回転しない第二モードと、前記アクチュエータナットとアクチュエータスクリューが同時に回転し、前記後方アクチュエータのみを回転させ、前記端板の前記後端部の拡張となり、それによって前弯症の低減となる第三モードと、を含む三つのモードのうちの一つである、請求項１９に記載の方法。
【発明の詳細な説明】
【発明の詳細な説明】
【０００１】
［技術分野］
本開示は、椎間インプラントを挿入することによって脊椎の隣接する椎骨を安定化させることに関し、更に具体的には、高さおよび／または傾斜度が調整可能な椎間インプラントと関連方法とに関する。
［背景技術］
【０００２】
骨および骨構造は、支持体および構造を提供するそれらの能力に影響を及ぼし得る様々な弱点に影響されやすい。骨構造の弱点には起こり得る多くの原因があり得るが、その中には、変性疾患、腫瘍、骨折および脱臼を含む。薬剤および工学の進歩は、医師にこれらの弱点を軽減するかまたは治療するための複数のデバイスおよび技術を提供してきた。
【０００３】
いくつかの事例では、そのような弱点を解決するために、脊柱にさらなる支持体が要求される。支持体を提供する一つの技術は、隣接する椎骨の間にスペーサーを挿入することである。
［発明の概要］
【０００４】
この、およびその他のニーズを満たすため、拡張可能インプラント、システム、および方法が提供される。拡張可能インプラントは、高さおよび／または傾斜度が拡張可能且つ調整可能であってよい。インプラントは、最小の高さで椎間板腔内に挿入され得、更には、椎間における高さ喪失を回復させるよう、軸方向に拡張し得る。インプラントは、伸延をもたらし、同時に、最適な高さの回復を達成する。インプラントはまた、その拡張とは別に、前弯角度を変化させることができる。このように、拡張と前弯角度が独立していることによって、挿入中の過度の埋伏、視界の妨げ、前弯角度が不連続に増加することによる、患者の前弯症との不完全なマッチング、といった、現在遭遇する問題のいくつかを解決することができる。一般には前弯角度に関して説明されているが、インプラントはまた、同様に後弯症を治療するための、脊柱後弯症のための拡張および角度形成を提供するよう構成され得ることが理解されるだろう。
【０００５】
少なくとも一つの実施形態では、本開示は、関節の骨を治療的に分離させるためのインプラントを提供する。インプラントは、前端部と後端部との間に延在する第一端板を含む。第一端板は、骨係合面と、骨係合面に対向する側面に、少なくとも一つの前傾斜面と、少なくとも一つの後傾斜面とを有する。第二端板は、前端部と後端部との間に延在する。第二端板は、骨係合面と、骨係合面に対向する側面に、少なくとも一つの前傾斜面と、少なくとも一つの後傾斜面とを有する。後方アクチュエータは、第一端板と第二端板との間に位置付けされ、少なくとも一つの第一端板後傾斜面に対向して位置決めされるよう構成された、対応する数の第一ガイディング傾斜面と、少なくとも一つの第二端板後傾斜面に対向して位置決めされるよう構成された、対応する数の第二ガイディング傾斜面とを有する。旋回部材は、各第一ガイディング傾斜面に旋回接続され、それぞれの少なくとも一つの第一板後傾斜面と摺動係合し、旋回部材は、各第二ガイディング傾斜面に旋回接続され、それぞれの少なくとも一つの第一板後傾斜面と摺動係合する。前方アクチュエータは、第一端板と第二端板との間に位置付けされ、少なくとも一つの第一端板前傾斜面に対向して位置決めされるよう構成された、対応する数の第三ガイディング傾斜面と、少なくとも一つの第二端板前傾斜面に対向して位置決めされるよう構成された、対応する数の第四ガイディング傾斜面とを有する。旋回部材は、各第三ガイディング傾斜面に旋回接続され、それぞれの少なくとも一つの第一板前傾斜面に摺動係合し、旋回部材は、各第四ガイディング傾斜面に旋回接続され、それぞれの少なくとも一つの第一板前傾斜面に摺動係合する。アクチュエータアセンブリが後方アクチュエータと前方アクチュエータとの間に延在し、後方アクチュエータと前方アクチュエータを同時に選択的に移動させるか、後方アクチュエータを前方アクチュエータから分離して移動させるか、または、前方アクチュエータを後方アクチュエータから分離して移動させるよう構成される。
【０００６】
少なくとも一つの実施形態では、本発明は、前端部と後端部との間に延在する第一端板を含むインプラントを提供する。第一端板は、少なくとも一つの前傾斜面と少なくとも一つの後傾斜面とを画定する。第二端板は、前端部と後端部との間に延在し、少なくとも一つの前傾斜面と少なくとも一つの後傾斜面とを画定する。後方アクチュエータは、第一端板と第二端板との間に位置付けされ、少なくとも一つの第一端板後傾斜面に対向して位置決めされるよう構成された、対応する数の第一ガイディング傾斜面と、少なくとも一つの第二端板後傾斜面に対向して位置決めされるよう構成された、対応する数の第二ガイディング傾斜面とを有する。旋回部材は、各第一ガイディング傾斜面に旋回接続され、それぞれの少なくとも一つの第一板後傾斜面と摺動係合し、旋回部材は、各第二ガイディング傾斜面に旋回接続され、それぞれの少なくとも一つの第一板後傾斜面と摺動係合する。前方アクチュエータは、第一端板と第二端板との間に位置付けされ、少なくとも一つの第一端板前傾斜面に対向して位置決めされるよう構成された、対応する数の第三ガイディング傾斜面と、少なくとも一つの第二端板前傾斜面に対向して位置決めされるよう構成された、対応する数の第四ガイディング傾斜面とを有する。旋回部材は、各第三ガイディング傾斜面に旋回接続され、それぞれの少なくとも一つの第一板前傾斜面に摺動係合し、旋回部材は、各第四ガイディング傾斜面に旋回接続され、それぞれの少なくとも一つの第一板前傾斜面に摺動係合する。アクチュエータアセンブリは、後方アクチュエータと前方アクチュエータとの間に延在する。アクチュエータアセンブリは、後端部と前端部との間に延在するアクチュエータスクリューを含み、第一雄ねじが後端部の近位にセットされ、第二雄ねじが前端部の近位にセットされ、その第一および第二雄ねじセットは反対巻き（ｏｐｐｏｓｉｔｅｌｙ  ｈａｎｄｅｄ）である。アクチュエータスクリューの後端部は、後方アクチュエータ内の貫通通路を貫通し、後方アクチュエータ内の貫通通路に螺合する。アクチュエータアセンブリは、後端部と前端部との間に延在するアクチュエータナットを更に含み、貫通通路がその後端部から前端部に延在し、貫通通路内で雌ねじを画定する。雌ねじは、雄ねじの第二セットと螺合する。アクチュエータナットは、アクチュエータナットが前方アクチュエータに対して軸方向に固定されるが、それに対して回転可能であるように、前方アクチュエータを貫通する。アクチュエータナットが回転しない一方でアクチュエータスクリューが回転すると、後方アクチュエータと前方アクチュエータを同時に移動させ、アクチュエータスクリューとアクチュエータナットが一緒に回転すると、後方アクチュエータを前方アクチュエータとは別に移動させ、アクチュエータスクリューが回転しない一方でアクチュエータナットが回転すると、前方アクチュエータを後方アクチュエータとは別に移動させる。
【０００７】
少なくとも一つの実施形態では、インプラントは一つ以上のベアリングを含み得る。ベアリングは、端板のうちの一つまたは両方をアクチュエータアセンブリに接続し、端板の角度に関わらず、アクチュエータスクリューを回転させることができるよう構成される。例えば、アクチュエータスクリューの後端部は、第一および第二端板によって支持される球状ベアリング内で支持され得るボールを含んでもよい。代替配置では、インプラントは、端板が制約なしに自由に旋回または並進するよう、現状のベアリング無しで提供され得る。
【０００８】
少なくとも一つの実施形態では、本開示は、関節の骨の間で、遠位端と近位端との間に延在する長手方向軸を画定するインプラントを挿入することであって、インプラントが前端部と後端部との間に延在する第一端板を含む、挿入することを含む、隣接する椎体を固定する方法を提供する。第一端板は、骨係合面と、骨係合面に対向する側面に、少なくとも一つの前傾斜面と、少なくとも一つの後傾斜面とを有する。第二端板は、前端部と後端部との間に延在する。第二端板は、骨係合面と、骨係合面に対向する側面に、少なくとも一つの前傾斜面と、少なくとも一つの後傾斜面とを有する。後方アクチュエータは、第一端板と第二端板との間に位置付けされ、少なくとも一つの第一端板後傾斜面に対向して位置決めされるよう構成された、対応する数の第一ガイディング傾斜面と、少なくとも一つの第二端板後傾斜面に対向して位置決めされるよう構成された、対応する数の第二ガイディング傾斜面とを有する。旋回部材は、各第一ガイディング傾斜面に旋回接続され、それぞれの少なくとも一つの第一板後傾斜面と摺動係合し、旋回部材は、各第二ガイディング傾斜面に旋回接続され、それぞれの少なくとも一つの第一板後傾斜面と摺動係合する。前方アクチュエータは、第一端板と第二端板との間に位置付けされ、少なくとも一つの第一端板前傾斜面に対向して位置決めされるよう構成された、対応する数の第三ガイディング傾斜面と、少なくとも一つの第二端板前傾斜面に対向して位置決めされるよう構成された、対応する数の第四ガイディング傾斜面とを有する。旋回部材は、各第三ガイディング傾斜面に旋回接続され、それぞれの少なくとも一つの第一板前傾斜面に摺動係合し、旋回部材は、各第四ガイディング傾斜面に旋回接続され、それぞれの少なくとも一つの第一板前傾斜面に摺動係合する。アクチュエータアセンブリが後方アクチュエータと前方アクチュエータとの間に延在し、後方アクチュエータと前方アクチュエータを同時に選択的に移動させるか、後方アクチュエータを前方アクチュエータから分離して移動させるか、または、前方アクチュエータを後方アクチュエータから分離して移動させるよう構成される。本方法は、第一および第二端板を互いに対して移動させ、前弯角を増大または縮小させるか、または、第一および第二端板を更に離れるよう移動させ、関節の骨を分離さるよう、インプラントが挿入された後にアクチュエータアセンブリを作動させることを更に含む。
［図面の簡単な説明］
【０００９】
添付の図面は、本開示の更なる理解を得るために含まれ、本明細書に組み入れられて本明細書の一部を構成し、本開示の実施形態を例解し、詳細な記載と共に本開示の原理を説明するためのものである。本開示の構造的細部を、本開示の基本的理解に必要となり得るよりも詳細に、かつ実施され得る様々な方法で示すことを試みるものではない。
【００１０】
図１は、本開示の実施形態におけるインプラントの分解斜視図である。
【００１１】
図２は、三つの装着された骨スクリューと共に、圧縮されたかまたは低くされた高さ構成における図１のインプラントの斜視図である。
【００１２】
図３は、図２に示すようなインプラントの側立面図である。
【００１３】
図４は、三つの装着された骨スクリューと共に、拡張されたかまたは増大された高さ構成における図１のインプラントの斜視図である。
【００１４】
図５は、図４に示すようなインプラントの側立面図である。
【００１５】
図６は、三つの装着された骨アンカーと共に、圧縮されたかまたは低くされた高さ構成における図１のインプラントの斜視図である。
【００１６】
図７は、三つの装着された骨アンカーと共に、拡張されたかまたは増大された高さ構成における図１のインプラントの斜視図である。
【００１７】
図８は、拡張された後部または増大した前弯角構成における図１のインプラントの斜視図である。
【００１８】
図９は、図８に示すようなインプラントの側立面図である。
【００１９】
図１０は、拡張された上位または縮小した前弯角構成における図１のインプラントの斜視図である。
【００２０】
図１１は、図１０に示すようなインプラントの側立面図である。
【００２１】
図１２は、図８の線１２−１２に沿った横断面図である。
【００２２】
図１３は、図９の線１２−１２に沿った横断面図である。
【００２３】
図１４〜１６は、代替アクチュエータの、それに対する代替旋回部材の連続装着を示す、一部分の拡張斜視図である。
［発明を実施するための形態］
【００２４】
本開示の態様およびその種々の特徴および有利な詳細が、付随の図面に記載および／または例解され、以下の説明に詳述される、非限定的な態様および例を参照して、より完全に説明される。図面に例解された特徴は、必ずしも一定の比率の縮尺で描かれてはいるわけではなく、一態様の特徴は、本明細書において明示的に記述されていなくても当事者が認識するように、その他の態様と共に採用され得ることが留意されるべきである。良く知られている構成部品および加工技術の記述は、本開示の態様を不必要に分かりにくくすることがないように、省略されてもよい。本明細書で使用される例は単に、本開示が実施され得る方法を理解しやすくし、更に、当業者が本開示の態様を実施することを可能にすることを意図している。したがって、本明細書の事例および態様は、本開示の範囲を限定するために構成されるべきではなく、この開示は、添付の請求項および適用可能な法によって単に定義される。更には、類似の参照番号は、図面のいくつかの図にわたって、類似の部品を表わすことが留意される。
【００２５】
本明細書で使用される用語「ａ」または「ａｎ」は、一つ以上として定義される。本明細書で使用される複数形の用語は、二つ以上として定義される。本明細書で使用される用語「別の（ａｎｏｔｈｅｒ）」は、少なくとも第二以上として定義される。本明細書で使用される用語「含む（ｉｎｃｌｕｄｉｎｇ）」および「有する（ｈａｖｉｎｇ）」は、備える（ｃｏｍｐｒｉｓｉｎｇ）（すなわち、開放型用語）として定義される。
【００２６】
本開示のインプラントは、最小の高さでの椎間板腔内への挿入を許可し、更に、椎間内での高さ喪失を回復するよう軸方向の拡張を可能にする。本開示のインプラントは、拡張範囲内での連続的な拡張と後退、および、最適高さの回復を達成することを可能にする。本開示のインプラントはまた、その拡張とは別に前弯角度を変化させ得る。本開示のインプラントは、挿入中の過度の埋伏、視界の妨げ、前弯角度が不連続に増加することによる、患者の前弯症との不完全なマッチングを最小限にするために利用され得る。更に、本開示のインプラントはまた、患者の治療に適応されるように、折り畳まれ、再位置決めされてもよい。
【００２７】
図１〜５および図７〜１３を参照すると、本開示の実施形態におけるインプラント１００が説明される。インプラント１００は、例えば椎骨（図示なし）といった、関節の隣接する骨の間に位置付けされるときに、隣接する椎骨によって形成された関節を安定させるよう動作する。インプラント１００はまた、前方椎体間スペーサー構成において図示されるが、冠状面変形に遭遇する、例えば直接横方向といった、その他のアプローチにおいても使用され得る。
【００２８】
図１〜３に関しては、インプラント１００は通常、上側端板１１０および下側端板１３０と、前方アクチュエータ１５０および後方アクチュエータ１７０と、アクチュエータ旋回部材１９０、２００と、アクチュエータスクリュー２１０と、アクチュエータナット２２０と、球状ベアリング２４０と、スラストワッシャー２３０とを含む。更に、インプラントは、固定スクリューまたはアンカーの移動を防止するため、端板１１０、１３０上に複数のブロッキングスクリュー１２４を含み得る。
【００２９】
上側端板１１０は、対向する側面レール１１２と１１４との間に延在する後方レール１１１と前方レール１１３を含む。レール１１１〜１１４は、貫通通路１１５を中心に、インプラント内の移植片チャンバ１２８内に延在する。通路１１５は、移植片材料または治療的に有利なその他の材料を、移植片チャンバ１２８内に詰めるかまたは成長させることができる。上側端板１１０は、側面レール１１２、１１４にそれぞれ沿った後方ガイド傾斜面１１６と、側面レール１１２、１１４にそれぞれ沿った前方ガイド傾斜面１１８とを画定する。各後方ガイド傾斜面１１６は、それぞれの旋回部材１９０の一部を受容するよう構成された溝１１７を画定し、各前方ガイド傾斜面１１８は、それぞれの旋回部材１９０の一部を受容するよう構成された溝１１７を画定する。本明細書で後述されるように、旋回部材１９０は、アクチュエータ１５０、１７０それぞれに旋回接続され、板１１０、１３０が拡張または収縮するにつれ、それぞれの傾斜面１１６、１１８に沿って摺動する。
【００３０】
前方レール１１３は、少なくとも一つの骨スクリュー／アンカー貫通穴１２１を画定し、一つのそのような穴１２１が、例解された実施形態に示されている。ブロッキングスクリュー穴１２２は、貫通穴１２１の隣に位置決めされ、骨スクリュー２５０または骨アンカー２６０を貫通穴１２１内に維持するのに利用され得るブロッキングスクリュー１２４を受容するよう構成される。骨スクリュー２５０および骨アンカー２６０は、それぞれの穴１２１において互換可能に使用されてもよく、また、その他の任意の好適な締結具で置き換えられてもよいことが理解されるだろう。前方レール１１３はまた、図２に示すように、ドライバ開口部１４３の第一半球状部分１２５を画定する。後方レール１１１は、本明細書で後述されるように、球状ベアリング２４０のためのシートの第一半球状部分１２７を画定する。受容スロット１２６は、半球状部分１２７の隣に延在し、球状ベアリング２４０の一部を画定するベアリング部材２４１のうちの一つのフランジ２４６を受容するよう構成する。
【００３１】
下側端板１３０は、対向する側面レール１３２と１３４との間に延在する後方レール１３１と前方レール１３３を含む。レール１３１〜１３４は、貫通通路１３５を中心に、インプラント内の移植片チャンバ１２８内に延在する。通路１３５は、移植片材料または治療的に有利なその他の材料を、移植片チャンバ１２８内に詰めるかまたは成長させることができる。下側端板１３０は、側面レール１３２、１３４にそれぞれ沿った後方ガイド傾斜面１３６と、側面レール１３２、１３４にそれぞれ沿った前方ガイド傾斜面１３８とを画定する。傾斜面１１６、１１８が傾斜面１３６、１３８に重なり得るように、ガイド傾斜体１３６、１３８は傾斜面１１６、１１８の横方向内向きである。各後方ガイド傾斜面１３６は、それぞれの旋回部材１９０の一部を受容するよう構成された溝１３７を画定し、各前方ガイド傾斜面１３８は、それぞれの旋回部材２００の一部を受容するよう構成された溝１３７を画定する。本明細書で後述されるように、旋回部材１９０、２００は、アクチュエータ１５０、１７０それぞれに旋回接続され、板１１０、１３０が拡張または収縮するにつれ、それぞれの傾斜面１３６、１３８に沿って摺動する。
【００３２】
前方レール１３３は、少なくとも一つの骨スクリュー／アンカー貫通穴１４１を画定し、二つのそのような穴１４１が、例解された実施形態に示されている。ブロッキングスクリュー穴１４２は、貫通穴１４１の隣に位置決めされ、骨スクリュー２５０または骨アンカー２６０を貫通穴１４１内に維持するのに利用され得るブロッキングスクリュー１２４を受容するよう構成される。骨スクリュー２５０および骨アンカー２６０は、それぞれの穴１４１において互換可能に使用されてもよく、また、その他の任意の好適な締結具で置き換えられてもよいことが理解されるだろう。前方レール１３３はまた、図２に示すように、ドライバ開口部１４３の第二半球状部分１４５を画定する。後方レール１３１は、球状ベアリング２４０のためのシートの第二半球状部分１４７を画定する。受容スロット１４６は、半球状部分１２７の隣に延在し、球状ベアリング２４０の別部分を画定するベアリング部材２４１のうちの他方のフランジ２４６を受容するよう構成される。
【００３３】
前方レール１１３、１３３は、それぞれの締結具を受容するよう構成された貫通穴１２１、１４１と共に示されているが、孔穴または貫通穴１２１、１４１が固定のために好適な任意の数および構成で存在し得ることが当業者によって理解されるだろう。代替では、スタンドアロン装置を提供するよう、孔穴または貫通穴１２１、１４１が省略されてもよい。
【００３４】
図示されていないが、端板１１０、１３０のうちの一つまたは両方は、埋め込み後のインプラント１００の移動の可能性を低減させるため、身体組織を貫くことができる歯または他の突出部を備え得る。更に、端板１１０、１３０のうちの一つまたは両方は、骨成長、治癒、抗菌性、または、薬剤を含む治療剤で覆われ得るか、または、浸透されてもよく、その治療剤は、当業者には既知の方法を使用して、治療用速度で放出されてもよい。更に、図２〜５は、インプラント１００の固定のための貫通穴１２１、１４１を貫通する骨スクリュー２６０を示すが、本開示はそれらに限らない。例えば、図６および７は、貫通穴１２１、１４１を貫通する骨アンカー２６０を例解する。また、その他の固定要素が利用されてもよい。各事例では、貫通穴１２１、１４１は、スクリュー２５０またはアンカー２６０がインプラント１００に対して最適角度で身体組織内に挿入され得、それによって最適てこ（ｏｐｔｉｍａｌ  ｐｕｒｃｈａｓｅ）が得られるかまたは特定の身体組織が回避され得るように、凹面開口部を有してもよい。
【００３５】
インプラント１００は、図２および３に例解された、折り畳または状態または高さと、図４および５に例解された、拡張状態または高さとを有する。本開示のインプラント１００は、折り畳まれた高さで椎間板腔内に差し込まれ得、更には、椎間における高さ喪失を回復させるよう、軸方向（上位／下位）に拡張し得る。インプラントは、伸延をもたらし、同時に、最適な高さの回復を達成する。折り畳まれた状態で挿入されると、インプラント１００は、挿入中の、接合空間における組織への埋伏を低減し、視覚を遮りまたは妨害が最も少ないプロファイルを形成する。更に、インプラント１００の前弯角は、前弯角が、図８および９に例解されるように増大するか、または、図１０および１１に例解されるように縮小するよう、調整され得る。
【００３６】
前方アクチュエータ１５０および後方アクチュエータ１７０は、板１１０と１３０との間に位置決めされ、板１１０と１３０との間の分離を制御できるよう、板１１０、１３０に対して可動である。前方アクチュエータ１５０は、板１１０と１３０との間で、前方レール１１１、１３１の近位に位置決めされる。前方アクチュエータ１５０は、本明細書で後述されるように、アクチュエータスクリュー２１０に螺合するよう構成された、雌ねじ１５５を有する中央貫通通路１５４を有する横方向延在本体１５２を有する。上側板ガイディング傾斜面１５６は、本体１５２の各端部で画定され、上側板１１０のそれぞれの前傾斜面１１６に整列するよう構成される。各上側板ガイディング傾斜面１５６は、対向する前傾斜面１１６と同一の傾斜角で延在する。同様に、下側板ガイディング傾斜面１５７は、本体１５２の各端部の内向きに画定され、下側板１３０のそれぞれの前傾斜面１３６に整列するように構成される。各下側板ガイディング傾斜面１５７は、対向する前傾斜面１３６と同一の傾斜角で延在する。本体１５２は、旋回部材１９０を旋回取付するため、ガイディング傾斜面１５６、１５７の隣にそれぞれ、旋回ピン穴１５８、１５９を画定する。
【００３７】
後方アクチュエータ１７０は、後方レール１１３、１３３の近位で、板１１０と１３０との間に位置決めされる。前方アクチュエータ１７０は、アクチュエータナット２２０を受容するよう構成された中央非螺刻貫通通路１７４を有する横方向延在本体１７２を有する。一連のフィンガ１８０は、本明細書で後述されるように、貫通通路１７４を中心に本体１７２の後側から延在し、アクチュエータナット２２０を係合し、保持するよう構成される。上側板ガイディング傾斜面１７６は、本体１７２の各端部で画定され、上側板１１０のそれぞれの後傾斜面１１８に整列するように構成される。各上側板ガイディング傾斜面１７６は、対向する上位傾斜面１１８と同一の傾斜角で延在する。同様に、下側板ガイディング傾斜面１７７は、本体１７２の各端部の内向きに画定され、下側板１３０のそれぞれの上位傾斜面１３８に整列するように構成される。各下側板ガイディング傾斜面１７７は、対向する上位傾斜面１３８と同一の傾斜角で延在する。本体１７２は、旋回部材１９０、２００を旋回取付するため、ガイディング傾斜面１７６、１７７の隣にそれぞれ旋回ピン穴１７８、１７９を画定する。
【００３８】
図１を参照すると、各旋回部材１９０は、それぞれの傾斜面１１６、１１８、１３６に沿って係合し、摺動するよう構成されるガイド面１９２を含む。溝係合フランジ１９４は各ガイド面１９２から延在し、それぞれの傾斜面１１６、１１８、１３６から分離するのを防止するよう、それぞれの傾斜面溝１１７、１１９、１３７内で係合するよう構成される。各ガイド面１９２の反対側面は、旋回ピン（図示なし）が各旋回部材１９０をそれぞれのアクチュエータ１５０、１７０に旋回接続するよう、それぞれの旋回ピン穴１５８、１５９、１７８と整列するよう構成された旋回スロット１９６を画定する。旋回部材２００は旋回部材１９０に類似しており、それぞれの傾斜面１３８に沿って係合し、摺動するよう構成されたガイド面２０２を含む。溝係合フランジ２０４は各ガイド面２０２から延在し、旋回部材１９０と比較するとより中央にあり、それぞれの傾斜面１３８から分離するのを防止するよう、それぞれの傾斜面溝１３９内で係合するよう構成される。各ガイド面２０２の反対側面は、旋回ピン（図示なし）が各旋回部材２００をそれぞれのアクチュエータ１７０に旋回接続するよう、それぞれの旋回ピン穴１７９と整列するよう構成された旋回スロット２０６を画定する。
【００３９】
図１４〜１６を参照すると、旋回部材をアクチュエータに旋回接続する代替方法が説明される。図は後方アクチュエータ１５０’を示すが、前方アクチュエータに同様の接続が提供されてもよい。本実施形態では、各傾斜面１５６、１５７は、アクチュエータ本体１５２’の一部の下で横方向に延在する一部分１６２を有する旋回スロット１６０を画定する。旋回ピンスロットの代わりに、各旋回部材１９０’は、延長部分１９７を有する、丸みをつけられた下面部材１９８を有する。丸みをつけられた下面部材１９８は、アクチュエータ本体１５２’の一部分の下を横方向に延在する部分１６２に嵌合する延長部分１９７を有する旋回スロット１６０内に嵌合する。図１６に例解されるように完全に配置されると、旋回部材１９０’は、アクチュエータ内に保持され、それに対して旋回する。
【００４０】
旋回部材１９０、２００は旋回接続され、それによって、上側端板１１０および下側端板１３０で溝１１７、１１９、１３７、１３９に係合されている一方、それぞれのアクチュエータ１５０、１７０と共に移動する。したがって、アクチュエータ１５０、１７０は、前方または後方に移動され、旋回部材１９０、２００が、傾斜面１１６、１１８、１３６、１３８に沿って摺動し、端板１１０、１３０を互いに向かって、または、互いから離れて移動させる。旋回部材１９０、２００の旋回性質によって、板１１０と１３０との間の角が、摺動関係を維持しつつ、変更されることを可能にする。
【００４１】
アクチュエータ１５０、１７０の移動と、端板１１０、１３０の対応する移動は、説明されない。図２および３は、折り畳まれた状態の端板１１０、１３０を例解し、アクチュエータ１５０、１７０は共に、略中央に位置する。端板１１０、１３０を拡張状態まで移動させるには、図４および図５に示すように、前方アクチュエータ１５０が前方に移動し、後方アクチュエータ１７０が後方に移動する。アクチュエータ１５０、１７０が移動するにつれ、旋回部材１９０、２００は、傾斜面１１６、１１８、１３６、１３８それぞれに沿って摺動する。そのような拡張作動においては、アクチュエータ１５０、１７０は同じ速度で移動しており、そのため、端板１１０、１３０はそれらの間で所定の角度を維持し、旋回部材１９０、２００は通常旋回しない。板１１０と１３０との間の前弯角を増大することが所望される場合、図８および図９に例解されるように、後方アクチュエータ１５０は静止したままだが、前方アクチュエータ１７０は前方に移動される。前方アクチュエータ１７０が移動するにつれ、旋回部材１９０、２００は、傾斜面１１８、１３８それぞれに沿って摺動する。更に、端板１１０と１３０との間の角度は変化するため、各旋回部材１９０、２００は、そのそれぞれのアクチュエータ１５０、１７０に対して旋回する。反対に、板１１０と１３０との間の前弯角を小さくすることが所望される場合、図１０および図１１に例解されるように、前方アクチュエータ１７０は静止したままだが、後方アクチュエータ１５０は後方に移動される。後方アクチュエータ１５０が移動するにつれ、旋回部材１９０は、傾斜面１１６、１３６それぞれに沿って摺動する。再度となるが、端板１１０と１３０との間の角度は変化するため、各旋回部材１９０、２００は、そのそれぞれのアクチュエータ１５０、１７０に対して旋回する。
【００４２】
アクチュエータ１５０、１７０を移動しやすくするため、アクチュエータアセンブリは、アクチュエータ１５０、１７０の間に延在する。図１、１２、および１３を参照すると、本実施形態では、アクチュエータアセンブリは、アクチュエータスクリュー２１０と、アクチュエータナット２２０と、球状ベアリング２４０とを含む。アクチュエータスクリュー２１０は、後端部２１１と前端部２１３との間に延在するシャフトを含む。前端部２１３がドライバ受容体２１６を含む一方、スクリュー２１０の後端部２１１は、ボール２１４を有する。アクチュエータスクリュー２１０は、前端部上に螺合部２１７の第一セットを、後端部上に螺合部２１８の第二セットを有し、その間にフランジ２１５を有する。螺合部２１７の第一セットおよび螺合部２１８の第二セットは反対巻き、すなわち、一方のセットは右巻きで、他方のセットが左巻きである。アクチュエータスクリュー２１０の後端部２１１は、螺合部２１７が雌ねじ１５５に係合した状態で、後方アクチュエータ１５０の中央貫通通路１５４を貫通する。
【００４３】
アクチュエータスクリュー２１０のボール２１４は、後方アクチュエータ１５０を超えて延在し、球状ベアリング２４０内に保持される。本実施形態では、球状ベアリング２４０は、対向するベアリング部材２４１によって画定される。図１を参照すると、各ベアリング部材２４１は、略半球状ベアリング面２４２を有する。アーム２４４は、ベアリング面２４２と装着フランジ２４６との間に延在する。各装着フランジ２４６は、上側端板１１０または下側端板１３０のそれぞれの受容スロット１２６、１４６において受容されるよう構成される。ボール２１４がベアリング面２４２の間で保持され、フランジ２４６がそれぞれの端板１１０、１３０と係合しており、アクチュエータスクリュー２１０は、端板１１０、１３０に対して軸方向に固定されるが、それに対して自在に旋回する。したがって、後方アクチュエータ１５０が、アクチュエータスクリュー２１０の螺合部セット２１７に沿って移動するにつれ、後方アクチュエータ１５０は、端板１１０、１３０に対して移動する。
【００４４】
アクチュエータナット２２０は、後端部２２１と前端部２２３との間に延在する本体２２２を有する。貫通通路２２７は、本体２２２を通って前端部２２３から後端部２２１へ延在する。貫通通路２２７の一部は、アクチュエータスクリュー２１０の第二螺合部セット２１８に螺合するよう構成された雌ねじ２２８を画定する。肩部２２９は、アクチュエータスクリュー２１０のための停止部を画定するよう、貫通通路２２７内に画定される。アクチュエータナット２２０の前端部２２３は、貫通通路２２７を中心にドライバ係合部２２６を画定し、例解された実施形態では、一連のノッチおよび歯である。
【００４５】
アクチュエータナット２２０の本体２２２の前端部２２３は、前方アクチュエータ１７０の非螺刻貫通通路１７４内に受容されるよう構成される。本体２２２から延在するラジアルフランジ２２４は、アクチュエータナット２２０が非螺刻貫通通路１７４内に移動する度合いを制限する。スラストワッシャー２３０は、フランジ２２４と前方アクチュエータ１７０との間に位置決めされ得る。溝２２５は、フランジ２２４の後方で、アクチュエータナット本体２２２において画定される。前方アクチュエータ１７０から延在するフィンガ１８０は、アクチュエータナット２２０が前方アクチュエータ１７０に接続されるように、溝２２５を係合するよう構成される。
【００４６】
アクチュエータアセンブリは三つの動作モードを提供する。第一動作モードでは、アクチュエータナット２２０は回されないが、アクチュエータスクリュー２１０はドライバ受容体２１６を介して回される。後方アクチュエータ１５０の雌ねじ１５５が、回っているアクチュエータスクリュー２１０の螺合部２１７の第一セットと係合することによって、後方アクチュエータ１５０を、例えば後方に移動させる。同時に、回っているアクチュエータスクリュー２１０の反対巻きの螺合部２１８は回っていないアクチュエータナット２２０の雌ねじ２１８、アクチュエータナット２２０、したがって前方アクチュエータ１７０に係合しているため、反対向きに、この事例では前方に、移動させられる。これによって、両アクチュエータ１５０、１７０が端板１１０、１３０の端部に向かって移動することになり、同距離だけ拡張する両端板１１０、１３０と共に直線的な拡張を与える（図４および５）。アクチュエータスクリュー２１０を反対方向に回すと、端板１１０、１３０を互いに向かって移動させることになるだろう。
【００４７】
第二動作モードでは、アクチュエータナット２２０はドライバ係合部２２６を介して回っているが、アクチュエータスクリュー２１０は回っていない。アクチュエータスクリュー２１０が回っていないため、後方アクチュエータ１５０は移動しない。しかしながら、アクチュエータナット２２０が、静的アクチュエータスクリュー２１０の螺合部２１８に対して回るにつれ、アクチュエータナット２２０、それによって前方アクチュエータ１７０が、単独で移動し、各端板の前端部のみを拡張させ、前弯角を増大させることになる。（図８および図９）アクチュエータナット２２０を反対方向に回すことにより、端板１１０、１３０の前端部を互いに向かって移動するだろう。
【００４８】
第三動作モードでは、アクチュエータスクリュー２１０がドライバ受容体２１６を介して回り、アクチュエータナット２２０もまた、ドライバ係合部２２６を介して回る。アクチュエータスクリュー２１０とアクチュエータナット２２０が同じ速度で回されるため、アクチュエータナット２２０とアクチュエータスクリュー２１０の間の相対運動はない。したがって、前方アクチュエータ１７０は動かない。しかしながら、アクチュエータスクリュー２１０を回すことにより、後方アクチュエータ１５０を単独で移動させ、それによって各端板の後端部のみを拡張し、前弯症の低減となる。（図１０および図１１）アクチュエータスクリューとアクチュエータナット２２０を反対方向に同時に回すことによって、端板１１０、１３０の後端部を互いに向かって移動させるだろう。
【００４９】
本開示の装置は、屈曲／延長、横曲げ、および軸方向回転中に隣接する椎骨が支持されるように提供する。一実施形態では、インプラント１００は、変性円板疾患、一時的又は再発性椎間板ヘルニア、脊髄の狭窄、または、腰仙椎における脊椎症（ＬＩ−ＳＩ）の骨格的には成長した患者を治療する際に脊髄関節形成術について示される。変性円板疾患は、脚（神経根）の痛みを伴っても伴わなくても患者の履歴及び放射線学的検査によって確認された椎間板の変性を伴う椎間板起因の背痛として有利には定義される。例えば、関連するレベルでグレード１までの脊椎すべり症の患者は、有利には治療され得る。手術位置のインプラント１００は前部、前外側、後側部、及び／又は、側部のアプローチ法を通じて実施される。様々なインプラント方法が、米国特許第２０１４／０２７７４８９号に開示され、その内容全体がすべての目的のために参照として本明細書に組み込まれる。埋め込み中、ドライバ受容体２１６およびドライバ係合部２２６は、アクチュエータアセンブリを作動させるため、別の工具または一体化工具によって係合されてもよい。
【００５０】
本開示は例示的態様において説明されてきたが、当業者は、本開示が添付の請求項の精神および範囲において修正とともに実施され得ることを理解するだろう。上記に挙げられたこれらの例は単に例示のためであり、本開示の、可能性のあるすべての設計、態様、用途、または修正の網羅的リストであることを意味しない。
【図面の簡単な説明】
【００５１】
【図１】図１は、本開示の実施形態におけるインプラントの分解斜視図である。
【図２】図２は、三つの装着された骨スクリューと共に、圧縮されたかまたは低くされた高さ構成における図１のインプラントの斜視図である。
【図３】図３は、図２に示すようなインプラントの側立面図である。
【図４】図４は、三つの装着された骨スクリューと共に、拡張されたかまたは増大された高さ構成における図１のインプラントの斜視図である。
【図５】図５は、図４に示すようなインプラントの側立面図である。
【図６】図６は、三つの装着された骨アンカーと共に、圧縮されたかまたは低くされた高さ構成における図１のインプラントの斜視図である。
【図７】図７は、三つの装着された骨アンカーと共に、拡張されたかまたは増大された高さ構成における図１のインプラントの斜視図である。
【図８】図８は、拡張された後部または増大した前弯角構成における図１のインプラントの斜視図である。
【図９】図９は、図８に示すようなインプラントの側立面図である。
【図１０】図１０は、拡張された上位または縮小した前弯角構成における図１のインプラントの斜視図である。
【図１１】図１１は、図１０に示すようなインプラントの側立面図である。
【図１２】図１２は、図８の線１２−１２に沿った横断面図である。
【図１３】図１３は、図９の線１２−１２に沿った横断面図である。
【図１４】図１４は、代替アクチュエータの、それに対する代替旋回部材の連続装着を示す、一部分の拡張斜視図である。
【図１５】図１５は、代替アクチュエータの、それに対する代替旋回部材の連続装着を示す、一部分の拡張斜視図である。
【図１６】図１６は、代替アクチュエータの、それに対する代替旋回部材の連続装着を示す、一部分の拡張斜視図である。
【図１】
2019084362.tif 000003
【図２】
2019084362.tif 000004
【図３】
2019084362.tif 000005
【図４】
2019084362.tif 000006
【図５】
2019084362.tif 000007
【図６】
2019084362.tif 000008
【図７】
2019084362.tif 000009
【図８】
2019084362.tif 000010
【図９】
2019084362.tif 000011
【図１０】
2019084362.tif 000012
【図１１】
2019084362.tif 000013
【図１２】
2019084362.tif 000014
【図１３】
2019084362.tif 000015
【図１４】
2019084362.tif 000016
【図１５】
2019084362.tif 000017
【図１６】
2019084362.tif 000018
【外国語明細書】
2019084362000001.pdf